(57)【要約】      （修正有）【課題】電力供給のために走行距離が制限を受けることがない太陽光発電クレーンを提供する。【解決手段】クレーン本体２と、クレーン本体２の上部に設けられた支持部材３と、支持部材３の上方に配置された太陽光パネル４と、太陽光パネル４によって発電された電力でバッテリーを充電する充電器と、電力を直流から交流へ変換するコンバータとを有する。太陽光パネル４によって発電された電力が、クレーン本体２の動作に必要な動力源として使用される。【選択図】図１
0003158865.tif 000002
【実用新案登録請求の範囲】
【請求項１】
クレーン本体の上部に設けられた支持部材の上方に太陽光パネルが配置され、前記太陽光パネルによって発電された電力が、充電器によって充電され、コンバータによって直流から交流への変換がなされて、クレーン本体の動作に必要な動力源として使用されることを特徴とする太陽光発電クレーン。
【考案の詳細な説明】
【技術分野】
【０００１】
本考案は、電力の供給源として太陽電池を搭載した太陽光発電クレーンに関する。
【背景技術】
【０００２】
動力を用いて荷をつり上げ、これを水平方向に運搬することを目的とする機械装置であるクレーンは、建築現場や造船等の現場において多く利用されている。クレーンを動作させるためには動力源となる電源から電力をモータに伝達することが必要であり、固定式のクレーンであればクレーンの作業領域が限られているため、電力の供給について特に問題を生じないが、走行型のクレーンの場合には、クレーンが走行して作業がなされるため、クレーンの走行距離に応じて電源から離れた位置まで電力を供給することが必要となる。走行型のクレーンにおいては、電線を巻取りケーブルリールに巻きつけて電源からの電力供給を行っており、電線の長さによって走行距離が制限を受けるという問題点があった。
【０００３】
近年、太陽光パネルを用いた装置が各分野で普及しつつあり、クレーンについても、荷揚用クレーンの高さを利用して、クレーンブームに電飾ネオンサインを取り付け、ネオンサインの電源として太陽電池を用いて、宣伝効果を上げることを目的としたものが、特許文献１に記載されている。
【先行技術文献】
【特許文献】
【０００４】
【特許文献１】特開２００６−３２３３２２号公報
【考案の開示】
【考案が解決しようとする課題】
【０００５】
しかし、特許文献１に記載のものは、クレーンブームが各種建設工事現場等において最も高い位置にあることを利用して、ネオンサインによる宣伝広告を意図したものであり、クレーン自体の動力源として利用するものではないため、走行型クレーンにおける電力供給の距離的制限を解決するものではない。
【０００６】
本考案は、このような事情を考慮してなされたもので、電力供給のために走行距離が制限を受けることがない太陽光発電クレーンを提供することを目的とする。
【課題を解決するための手段】
【０００７】
以上の課題を解決するために、本考案の太陽光発電クレーンは、クレーン本体の上部に設けられた支持部材の上方に太陽光パネルが配置され、前記太陽光パネルによって発電された電力が、充電器によって充電され、コンバータによって直流から交流への変換がなされて、クレーン本体の動作に必要な動力源として使用されることを特徴とする。
【０００８】
クレーン本体の動作に必要な動力源として、クレーン本体の上部に設けられた支持部材の上方に配置された太陽光パネルによって得られる電力を用いる構造としているため、従来のように、交流電源から電線を介して電力を伝達するものと異なり、電線の長さによってクレーンの走行距離が制限を受けることがない。そのため、クレーンによる作業が必要な場所に、電力供給の点での制約を受けずに、クレーンを稼働させることができる。
【０００９】
また、太陽光パネルは、クレーン本体の上部に設けられた支持部材の上方に配置されているため、クレーン本体の動作に支障をきたすことがなく、配置される場所が太陽光照射を受けやすい位置であるため、発電効率を良好な状態で維持することができる。また、太陽光パネルの取付けも容易に行うことができる。
【００１０】
さらに、発電された電力を充電器によって充電しているため、太陽光の照射条件が良好でない気象条件のときであっても、充電された電力を用いてクレーンを作動させることができるとともに、太陽光利用であることから、環境保全の観点からも優れている。
【考案の効果】
【００１１】
本考案によると、電力供給のために走行距離が制限を受けることがない太陽光発電クレーンを実現することができる。
【図面の簡単な説明】
【００１２】
【図１】本考案の実施形態に係る太陽光発電クレーンの構造を示す図である。
【図２】本考案の実施形態に係る太陽光発電クレーンの電気系統図である。
【考案を実施するための形態】
【００１３】
以下に、本考案の太陽光発電クレーンを、その実施形態に基づいて説明する。
図１に、本考案の実施形態に係る太陽光発電クレーンの構造を示す。
図１（ａ）は、太陽光発電クレーンの平面図、図１（ｂ）は、その正面図、図１（ｃ）は、その側面図である。
【００１４】
太陽光発電クレーン１は、クレーン本体２の上部に設けられた支持部材３の上方に太陽光パネル４が配置されて形成されており、太陽光パネル４によって発電された電力が太陽光発電クレーン１の動力源となる。太陽光パネル４は、太陽光照射を充分に受け、限られたスペースで充分な発電能力を発揮することが必要であるため、支持部材３の設置角度や、太陽光パネル４の配置方向、配置枚数は、状況に応じて適宜定められる。
【００１５】
クレーン本体２は、その側方両端に脚部５を有し、脚部５の下方には車輪６が設けられている。車輪６は、走行モータ７からチェーンによって動力が伝達されて回転し、これによってクレーン本体２が地上を走行する。
【００１６】
荷を保持する保持部８は、巻上電動チェーンブロック９によって上げ下げが行われるとともに、横方向にも動いて、荷の運搬がなされる。これらの操作は、操作スイッチ１０により行われる。太陽光発電クレーン１には、電力供給を制御する制御盤１１と、バッテリー収納盤１２とが備えられている。これらの機能については、後に詳述する。また、脚部５の近傍に、表示灯１３が設けられている。
【００１７】
図２に、本考案の実施形態に係る太陽光発電クレーンの電気系統図を示す。
太陽光パネル４によって得られた電力は、充電器２０によってＤＣ２４Ｖの電圧で充電され、この電力は、バッテリー２１によって適宜保存される。ＤＣ２４Ｖの電圧を有する電力は、コンバータ２２によって直流から交流への変換がなされて、ＡＣ１００Ｖに変換された後、単相トランス２３によって単相２００Ｖとなる。
【００１８】
次に、インバータ２４によって単相２００Ｖから三相２００Ｖに変換され、三相トランス２５によって安定化された後、制御盤１１に電力が伝達される。制御盤１１から、走行モータ７と表示灯１３とに電力が供給される。これにより、走行モータ７から車輪６に動力が伝達されて車輪６が回転し、クレーン本体２が走行するため、クレーン本体２の走行に必要な動力は、太陽光パネル４によって得られた電力によってまかなわれる。同様に、表示灯１３の点灯に必要な電力も太陽光パネル４によって得られた電力によってまかなわれる。走行モータ７として、駆動２５ワットのモータを使用している。
【００１９】
制御盤１１には、横行給電ケーブル２６を介してホイスト盤２７が接続されており、ホイスト盤２７から巻上モータ２８と横行モータ２９とに電力が供給される。横行モータ２９として、駆動１００ワットのモータを使用している。巻上モータ２８と横行モータ２９によって、巻上電動チェーンブロック９が駆動されるため、荷を保持する保持部８の上下方向と横方向（左右方向）の動きに必要な動力は、太陽光パネル４によって得られた電力によってまかなわれる。
このように、クレーン本体２の動作に必要な電力は、全て、太陽光パネル４によって得られた電力によってまかなうことができる。
【００２０】
ホイスト盤２７には、操作スイッチ１０が接続されており、操作スイッチ１０に設けられた上、下、東、西、南、北のそれぞれの方向を示す押ボタンを押すことによって、荷の運搬方向が定められる。
なお、以上の実施形態においては、走行型クレーンに基づいて説明したが、これに限定されず、他のタイプのクレーンについても広く適用することができる。
【産業上の利用可能性】
【００２１】
本考案は、電力供給のために走行距離が制限を受けることがない太陽光発電クレーンとして利用することができ、クレーンによる作業が必要な場所に電力供給の点での制約を受けずに、クレーンを稼働させることができる点で有利である。
【符号の説明】
【００２２】
１  太陽光発電クレーン
２  クレーン本体
３  支持部材
４  太陽光パネル
５  脚部
６  車輪
７  走行モータ
８  保持部
９  巻上電動チェーンブロック
１０  操作スイッチ
１１  制御盤
１２  バッテリー収納盤
１３  表示灯
２０  充電器
２１  バッテリー
２２  コンバータ
２３  単相トランス
２４  インバータ
２５  三相トランス
２６  横行給電ケーブル
２７  ホイスト盤
２８  巻上モータ
２９  横行モータ
【図１】
0003158865.tif 000003
【図２】
0003158865.tif 000004
【手続補正書】
【提出日】平成22年2月17日(2010.2.17)
【手続補正１】
【補正対象書類名】実用新案登録請求の範囲
【補正対象項目名】全文
【補正方法】変更
【補正の内容】
【実用新案登録請求の範囲】
【請求項１】
クレーン本体と、前記クレーン本体の上部に設けられた支持部材と、前記支持部材の上方に配置された太陽光パネルと、前記太陽光パネルによって発電された電力でバッテリーを充電する充電器と、前記電力を直流から交流へ変換するコンバータとを有し、前記太陽光パネルによって発電された電力が、前記クレーン本体の動作に必要な動力源として使用されることを特徴とする太陽光発電クレーン。